(57)【要約】【課題】  少ない部品数と接合箇所により極めて簡単に仕上げることができて安価に供給できる。股部に伸縮性の差異を附与し臀部の凹凸に良くフィットして立体的な着用感が得られる。肌当りも良く履き心地が良い。【解決手段】  ２枚の略三角形状の伸縮性生地からなる股部を有する衣類であって、前身頃２と後身頃１の各頂点部１ａ、１ｂ、１ｃ、２ａ、２ｂ、２ｃを重合し接合してある。【選択図】        図１
2005097769.tif 000002
【特許請求の範囲】
【請求項１】
２枚の略三角形状の伸縮性生地からなる股部を有する衣類であって、前身頃と後身頃の各頂点部を重合し接合してなる股部を有する衣類。
【請求項２】
股部の内面に前身頃から後身頃になるほど細くなる略三角形状の当て布を接合してある請求項1に記載の股部を有する衣類。
【請求項３】
前身頃と後身頃の各頂点部の接合は接着剤または熱溶着である請求項１または２に記載の股部を有する衣類。
【発明の詳細な説明】
【技術分野】
【０００１】
本発明は、ショーツ、パンティ、ブリーフ、トランクス、ガードル、ボディスーツ、水着などの股部を有する衣類に関するもので、特に女性用ショーツに適し、少ない部品点数と接合箇所による臀部にフイットする着け心地の良い股部を有する衣類に関するものである。
【背景技術】
【０００２】
従来から女性用ショーツとしては、素材、色、形など多種多様のものがあり、各自の好みのものを購入しているが、一般的なショーツとしては、下腹部を覆う前身頃布と、臀部を覆う後身頃布と、股布とからなり、前身頃布と後身頃布の互いに対応する両側縁部を縫着すると共に、股布の前後両端を前身頃布と後身頃布に縫い合せ、ウエスト部の履き口や脚部の裾口に縁テープを縫着することによって形成されており、運動時などに適応するため、通常、伸縮性ナイロンやポリウレタンなどを用いて編織した伸縮性を有する編地または織地によって作られている。
【０００３】
しかしながら、前記の女性用ショーツは、前身頃布と後身頃布の両側縁部や股布の前後両端部、ウエスト部の履き口、脚部の裾口など縫着箇所が多くなり、ミシンによる縫製作業に多くの時間と労力を要するばかりでなく、臀部の凹凸にフイットさせるには、「イセ込み」や「立体成形」などが必要であった。また、縫製すると縫着部が硬くなったり、凹凸になったりして肌当りや着用感が悪くなるといった問題点があった。
【０００４】
そこで、最近では前身頃と後身頃とを縫製せずに筒状に周回編成した立体形状の無縫製ニットパンツが提案されている。（例えば、特許文献1〜３参照）
すなわち、この無縫製ニットパンツは、編み機の前後一対のニードルヘッドに編み糸が周回状に供給されて、下腹を覆う前身頃と臀部を覆う後身頃とが筒状に編成されたものである。編み機は、リブ編みされるウエスト部から編み出し、次いでメリヤス編の胴部を周回編成したのち、連続して左右の股下部をメリヤス編によって編成し、最後に伏せ目処理を行って一枚のニットパンツに仕上げている。
【特許文献１】特許第３４０３７２０号公報
【特許文献２】特許第３４０３７２１号公報
【特許文献３】特開２００２−３２７３０３号公報
【発明の開示】
【発明が解決しようとする課題】
【０００５】
しかしながら、上記の無縫製ニットパンツは、縫製部分がないため、ニット特有の伸縮性や柔軟性があり、また縫着部のゴロつきがないことから肌当りが優れているといった利点があるものの、臀部に形成した膨らみが一律であるため、使用者によっては身体の形状に膨らみがフイットしないおそれがあった。
【０００６】
本発明は、上記のような問題点を解決することを課題として開発されたもので、少ない部品数と接合箇所により極めて簡単に仕上げることができて安価に供給できると共に、股部に伸縮性の差異を付与し臀部の凹凸に良くフイットして立体的な着用感が得られ、肌あたりも良くて履き心地の良い股部を有する衣類を提供することを目的とするものである。
【課題を解決するための手段】
【０００７】
上記の課題を解決し、その目的を達成する手段として、本発明は、２枚の略三角形状の伸縮性生地からなる股部を有する衣類であって、前身頃と後身頃の各頂点部を重合し接合してなる股部を有する衣類を開発し、採用した。
【０００８】
また、上記のように構成した股部を有する衣類において、股部の内面に前身頃から後身頃になるほど細くなる略三角形状の当て布を接合してある股部を有する衣類、および前身頃と後身頃の各頂点部の接合は接着剤または熱溶着である股部を有する衣類を開発し、採用した。
【発明の効果】
【０００９】
本発明は、前身頃と後身頃を略三角形の生地を使用するため、従来の生地に比べて裁断した時のロスが少なくてすむ。前身頃生地と後身頃生地との２枚のみで衣類が出来上がっており、縁テープやゴムなどの部品を一切必要としないから安価になる。股部を意図的に伸びないようにし、かつ当て布の接合部を後方に行くほど細くしてあるから、臀部の凹凸にフイットして履き心地が良くなる。また、ウエスト部や脚部に段部となるようなテープがないので、突出することがなく、パンツを着用した時にショーツのラインが出ないので体裁がよくなる。
【発明を実施するための最良の形態】
【００１０】
以下に、本発明の実施の形態を説明すれば、図１〜３は女性用ショーツの１例を示しており、この女性用ショーツは、臀部を覆う後身頃１と、下腹部を覆う前身頃２を接合することで構成されている。
【００１１】
上記の後身頃１、前身頃２はともに縦横両方向に伸縮性を有するポリエステルやポリアミド、ポリウレタンなどで編成した編生地からなっていて、臀部を覆う後身頃１は面積の大きい三角形状に形成されている。その三角形状は図６に示すように、上片が長く、斜辺の方が短い逆三角形状に裁断されており、上辺の中央部が僅か内方に窪んだ形状に形成されている。
【００１２】
一方、下腹部を覆う前身頃２は比較的面積が小さい三角形状に形成されており、その三角形状は図７に示すように、ウエスト部となる上辺が短く、斜辺の方が長い概略逆三角形状に裁断されており、上辺は中央部が僅か内方に窪んだ形状に形成されていると共に、斜辺も内方に僅か窪んだ形状に形成されてあり、下部頂点部を三角形状の切り込み部に形成してある。  
【００１３】
後身頃１の左側頂点部１ａ、右側頂点部１ｂ、下部頂点１ｃは、それぞれ折り返し線３で前身頃２側に折り返し、その折り返し片４を、前身頃２の左右各頂点部２ａ，２ｂおよび下部頂点部２ｃと重ね合わせ、その重合部に接着剤５を塗着して一体的に接合またはその重合部を高周波溶接機や超音波溶着機によって熱溶着してある。
【００１４】
６は股部で、図９に示すように、後身頃１の下部頂点部１ｃの折り返し片４と前身頃２の下部頂点２ｃとを接合して構成されており、その股部６の内面側に図８に示すように、前身頃２側に貼着される方を幅広７ａに、後身頃１側に貼着される方を幅狭７ｂにした概略三角形状の綿の当て布７の周縁を接着剤５で接合または熱溶着で接合してある。すなわち、後身頃１の折り返し片４と前身頃２の下部頂点２ｃを接合して伸縮性を規制してあり、その内面側に綿の当て布７を当ててさらに伸縮性を規制してある。つまり、折り返し片４と下部頂点２ｃと綿の当て布７の三重部が一番伸縮性に劣り、後身頃１と綿の当て布７および前身頃２と綿の当て布７の二重部がその次に劣っている。
【００１５】
このように構成した女性用ショーツの着用状態を作用、効果と共に説明すると、ウエストの履き口部や脚部の裾口などにゴムなどの伸縮テープがないので履きやすくて脱ぎやすくなる。ショーツの正面両側上部に、後身頃１の折り返し片３と前身頃２の下部頂点２ｃとの重合部があり、この重合部は接着剤５や熱溶着で一体的に接合されているから、伸縮性が規制され腰部前身頃２と後身頃１の位置がずれることがない。また、前身頃２と後身頃１だけで構成されているから、装着時の肌あたりが柔らかくて非常に良くフイット感が良好になる。
【００１６】
さらに、股部６においては、後身頃１の折り返し片４と、前身頃２の下部頂点２ｃと、綿の当て布７との接合により伸縮性が規制されているとともに、当て布７を後身頃の方に行くほど細くしてあるから、図１０に示すように、臀部の凸部８や割れ目９に良く沿いフイットし、美しいヒップラインになる。
【００１７】
以上、本発明の主要な実施の形態では、女性用のショーツの例で説明し、接合方法は接着剤、熱溶着で説明したが、本発明はこれらの実施の形態に限定されるものではなく、例えば、パンティガードルでもよく、また、接合も縫着でもよく、要するに、発明の目的を達成でき、かつ発明の要旨を逸脱しない範囲内で種々の設計変更が可能であることは言うまでもない。
【産業上の利用可能性】
【００１８】
女性用ショーツに限ることはなく、パンティ、ブリーフ、トランクス、ガードル、ボディスーツ、水着などの股部を有する衣類全般に適用できるものである。
【図面の簡単な説明】
【００１９】
【図１】本発明の実施の形態を示すショーツの正面図である。
【図２】その背面図である。
【図３】その平面図である。
【図４】図１のＡ−Ａ線断面図である。
【図５】図１のＢ−Ｂ線断面図である。
【図６】後身頃の正面図である。
【図７】前身頃の正面図である。
【図８】当て布の正面図である。
【図９】股部の簡略底面図である。
【図１０】着用状態の説明図である。
【符号の説明】
【００２０】
１  後身頃
２  前身頃
５  接着剤
６  股部
７  当て布
【図１】
2005097769.tif 000003
【図２】
2005097769.tif 000004
【図３】
2005097769.tif 000005
【図４】
2005097769.tif 000006
【図５】
2005097769.tif 000007
【図６】
2005097769.tif 000008
【図７】
2005097769.tif 000009
【図８】
2005097769.tif 000010
【図９】
2005097769.tif 000011
【図１０】
2005097769.tif 000012